(57)【要約】【課題】  印刷機によっては、インキの供給量の調整が困難で均一なインキ供給が難しく、そのため精度の高いＩＣＣプロファイルを作成することが可能である。【解決手段】  異なる入出力装置の色表現を一致させるために印刷機の色特性を記述するデバイスプロファイルを作成する際に必要となるカラーパッチデータであって、色材の組み合せを示す複数のカラーパッチデータ１１を記憶し、カラーパッチの配置順がランダムとなるように配置順を決定し、決定した配置順に従ってカラーパッチデータを読み出し配置することによりカラーパッチのランダム配置を行うことにより、印刷機用のカラーチャートデータを作成するカラーチャート作成装置１０を提供する。【選択図】    図１
2005073054.tif 000002
【特許請求の範囲】
【請求項１】
異なる入出力装置の色表現を一致させるために印刷機の色特性を記述したデバイスプロファイルを作成する際に必要となるカラーパッチデータであって、色材の組み合せを示す複数のカラーパッチデータを記憶するパッチデータ記憶手段と、
カラーパッチの配置順がランダムとなるように配置順を決定し、決定した配置順に従って前記パッチデータ記憶手段よりカラーパッチデータを読み出し配置することによりカラーパッチのランダム配置を行い、印刷機用のカラーチャートデータを作成するパッチ位置決定手段と
を備えることを特徴とするカラーチャート作成装置。
【請求項２】
前記カラーチャート作成装置は、
対象とする印刷機のデバイスプロファイルが既に存在する場合、該デバイスプロファイルを利用して、装置に依存しない標準色空間における無彩色が概均等に配列されるような複数の無彩色カラーパッチを求め、該無彩色カラーパッチをパッチデータ記憶手段に加える無彩色パッチ付加手段を
さらに備え、
前記パッチ位置決定手段は、前記無彩色カラーパッチも含めて、カラーパッチのランダム配置を行い、前記対象とする印刷機用のカラーチャートデータを作成する
ことを特徴とする請求項１に記載のカラーチャート作成装置。
【請求項３】
前記パッチ位置決定手段は、
対象とする印刷機において、前記複数のカラーパッチを１枚のカラーチャートに印刷できない場合、該印刷機の印刷紙面の大きさに応じた枚数のカラーチャート内で、全てのカラーパッチが印刷されるように該カラーパッチをランダム配置するチャート分割手段を含む
ことを特徴とする請求項１または請求項２に記載のカラーチャート作成装置。
【請求項４】
配列されたカラーパッチ群の周辺の少なくとも一部に、前記デバイスプロファイルを作成する際に利用しなくてもよいカラーパッチであるダミーパッチを、カラーチャートデータに対し付加するダミーパッチ付加手段をさらに備えたことを特徴とする請求項１から請求項３のいずれかに記載のカラーチャート作成装置。
【請求項５】
ダミーパッチ付加手段は、対象とする印刷機でカラーチャートを印刷する際の印刷方向と同方向の前記カラーパッチ群の一列であって、前記カラーパッチ群の最端部のカラーパッチ列と同じパッチ列を該最端部のカラーパッチ列の外側に並列に配置することにより、配列されたカラーパッチ群の周辺に前記ダミーパッチを付加することを特徴とする請求項４に記載のカラーチャート作成装置。
【請求項６】
ダミーパッチ付加手段は、対象とする印刷機でカラーチャートを印刷する際の印刷方向と直交する方向であって、前記カラーパッチ群の最端部に、概無彩色のカラーパッチ列を配置することにより、配列されたカラーパッチ群の周辺に前記ダミーパッチを付加することを特徴とする請求項４に記載のカラーチャート作成装置。
【請求項７】
カラーパッチが配置されない背景部分に概無彩色の印刷がなされるように背景色データを、前記カラーチャートデータに対し付加する背景色付加手段をさらに備えたことを特徴とする請求項１から請求項６のいずれかに記載のカラーチャート作成装置。
【請求項８】
異なる入出力装置の色表現を一致させるために印刷機の色特性を記述したデバイスプロファイルを作成する際に必要となるカラーパッチデータであって、色材の組み合せを示す複数のカラーパッチデータをコンピュータの記憶手段に予め記憶させ、
カラーパッチの配置順がランダムとなるように配置順の演算処理を行い、
決定した配置順に従って前記記憶手段よりカラーパッチデータを読み出し配置することによりカラーパッチのランダム配置処理を行い、印刷機用のカラーチャートデータを作成する
ことを特徴とするカラーチャート作成方法。
【請求項９】
コンピュータに印刷機用のカラーチャートデータの作成を行わせるプログラムであって、
前記コンピュータが、異なる入出力装置の色表現を一致させるために印刷機の色特性を記述したデバイスプロファイルを作成する際に必要となるカラーパッチデータであって、色材の組み合せを示す複数のカラーパッチデータを記憶する状態において、
カラーパッチの配置順がランダムとなるように配置順を決定し、決定した配置順に従って記憶手段よりカラーパッチデータを読み出し配置することによりカラーパッチのランダム配置を行い、印刷機用のカラーチャートデータを作成するパッチ位置決定機能
をコンピュータに実行させるプログラム。
【発明の詳細な説明】
【技術分野】
【０００１】
本発明は、異なるの入出力装置の色表現を一致させるために印刷機の色特性を記述したデバイスプロファイルを作成する際に必要となる印刷用のカラーチャートデータを作成するカラーチャート作成装置、カラーチャート作成方法及びそのプログラムに関する。特に、本発明は、印刷機の印刷状態によるデバイスプロファイルの精度への影響の少ない印刷用のカラーチャートデータの作成に良好なカラーチャート作成装置、カラーチャート作成方法及びそのプログラムに関する。
【背景技術】
【０００２】
印刷物を作成する際に、コンピュータを利用したデスク・トップ・パブリッシング（ＤＴＰ）が広く利用されている。ＤＴＰでは、印刷物のデザイン・編集が表示装置（ディスプレイ）やコンピュータを利用して行われ、印刷機により出版物等の印刷が行われる。この際、表示装置や印刷機等の異なる印刷環境においても色の見え方が同じであることが、効率に出版物をデザイン・編集・印刷するために重要となる。そこで、異なる入出力装置において再現される色の見え方が同じようにするための技術としてカラー・マネージメント・システム（ＣＭＳ）が利用される。このＣＭＳで利用されるデータとして、異なるの入力装置・出力装置の色表現を一致させるために、各装置の色特性を記述したデータであるデバイスプロファイルが用いられる。このプロファイルフォーマットの標準化を目的とて結成された国際機関がＩＣＣ（Ｉｎｔｅｒｎａｔｉｏｎａｌ  Ｃｏｌｏｒ  Ｃｏｎｓｏｒｔｉｕｍ）であり、この規約に従って記述されたデバイスプロファイルがＩＣＣプロファイルである。
【０００３】
例えば、印刷機用のＩＣＣプロファイルを作成するために、まず、印刷機用のデバイス色空間で表現されたカラーパッチであって、複数の色材の組み合せからなるカラーパッチで構成された印刷用のカラーチャートデータを準備する。続いて、ＩＣＣプロファイルの作成対象となる印刷機において、このカラーチャートデータを用いて印刷を行う。そして、印刷されたカラーチャート上のカラーパッチを分光光度計で計測することにより、ＩＣＣプロファイルの作成を行う（例えば、特許文献１参照）。
【特許文献１】特開２００２−９４８２１号公報
【発明の開示】
【発明が解決しようとする課題】
【０００４】
ＩＣＣプロファイルを作成する際、スキャナ、ディスプレイ、プリンタといった出力装置や入力装置の標準チャートとしてＩＴ８が広く利用されている。ＩＴ８に準拠したカラーチャート内には、色相、明度（輝度）の異なる複数のカラーパッチが配列されており、そのカラーパッチの配列順も定められており、印刷時における印刷方向も定められている。
【０００５】
図１７は、カラーチャートを概念的に示した図である。図１７に示すように、ＩＴ８に準拠したカラーチャート９６上には、複数のカラーパッチが規則的に配列された領域９４を含む。なお、この領域９４をカラーパッチ群と呼ぶことにする。カラーパッチ群９４は、同系の色相のカラーパッチが異なる明度で一列に配列された部分９５も含む。
【０００６】
ところで、印刷機には、図１６に示すように、印刷機の胴９１上に複数のインキ壺９２が配列されており、このインキ壺９２からインキを供給して印刷を行う機種がある。カラー印刷の場合、一般的に、イエロー、マゼンダ、シアン、ブラック（ＹＭＣＫ）のインキが使用され、それら各色のインキがインキ壺９２から供給される。このインキ壺９２から各色のインキを均一に供給することは一般的に困難である。そのため、印刷物の左右で供給されるインキ量が異なり同一色でも左右の色彩が異なることがあるとともに、印刷状態が印刷紙面で微妙に異なってくるという実情がある。
【０００７】
このような印刷機におけるインキ壺９２からのインキの供給を安定させることの困難性から、印刷したカラーチャート上のカラーパッチは色彩や明度に関し誤差を含む。さらに、前述のようにＩＴ８に準拠したカラーチャート上には同一色相の明度の異なる複数のカラーパッチが印刷方向と同一方向に一例に並んでいる部分９５を含んでいることから、この部分９５全てが、インキ壺９２によるインキの供給状況によっては、大きな誤差を含んでしまう恐れがある。この場合、作成されたＩＣＣプロファイルの精度を低下させる原因となる。特に、同系の色相のカラーパッチが異なる明度で一列に配列された部分９５を印刷するために必要となるインキを供給するインキ壺９２に不具合があった場合、一般にこのインキ壺の不具合を発見・調整することが困難であるとともに、印刷されたカラーチャートに基づき作成されたＩＣＣプロファイルは、カラーマネージメントのために利用できないほど誤差を含んだものとなってしまうこともある。
【０００８】
特許文献１に示すカラーチャート作成方法では、標準色空間においてカラーパッチが均一に分布するようにカラーパッチを選択することを開示するのみで、印刷機におけるインキ壺からのインキ供給を均一に行うことが困難なことに対応することを何ら考慮していない。
【０００９】
本発明は、このような事情に鑑みてなされたもので、印刷機におけるインキの供給量が均一に行えなくとも、このような状況下でも、より精度の高いデバイスプロファイルを作成することが可能となる印刷用のカラーチャートデータの作成装置、方法及びプログラムを提供することを目的とする。
【課題を解決するための手段】
【００１０】
本発明は、異なる入出力装置の色表現を一致させるために印刷機の色特性を記述したデバイスプロファイルを作成する際に必要となるカラーパッチデータであって、色材の組み合せを示す複数のカラーパッチデータを記憶するパッチデータ記憶手段と、カラーパッチの配置順がランダムとなるように配置順を決定し、決定した配置順に従って前記パッチデータ記憶手段よりカラーパッチデータを読み出し配置することによりカラーパッチのランダム配置を行い、印刷機用のカラーチャートデータを作成するパッチ位置決定手段とを備えるカラーチャート作成装置である。
【００１１】
これにより、印刷機におけるインキの供給量を均一にすることが困難な状況下であっても、同一系列の色彩のカラーパッチが一列に並ぶことなくチャート内にランダムに配置され、同一系列の色彩のカラーパッチ印刷全てに不具合が生じることがなくなる。すなわち、同一系列の色彩のカラーパッチに対するインキ供給量の過不足に基づく色ずれの影響を軽減でき、結果としてより変換精度の高いデバイスプロファイルを作成することが可能となる。
【００１２】
また、上記のカラーチャート作成装置において、対象とする印刷機のデバイスプロファイルが既に存在する場合、該デバイスプロファイルを利用して、装置に依存しない標準色空間における無彩色が概均等に配列されるような複数の無彩色カラーパッチを求め、該無彩色カラーパッチをパッチデータ記憶手段に加える無彩色パッチ付加手段をさらに備え、前記パッチ位置決定手段は、前記無彩色カラーパッチも含めて、カラーパッチのランダム配置を行い、前記対象とする印刷機用のカラーチャートデータを作成することを特徴とする。
【００１３】
標準色空間で、無彩色近傍において誤差が生じると色相が大きく異なってしまう。また、人間の視覚特性より無彩色における輝度変化に敏感である。よって、上記の処理により、標準色空間においてほぼ均等に配置されるような無彩色のカラーパッチを加え、それらも含むカラーチャートデータとすることで、人間の視覚特性において変化に敏感な無彩色に対するデバイス空間と標準色空間での変換の精度を高めることができる。
【００１４】
また、上記のカラーチャート作成装置において、前記パッチ位置決定手段は、対象とする印刷機において、前記複数のカラーパッチを１枚のカラーチャートに印刷できない場合、該印刷機の印刷紙面の大きさに応じた枚数のカラーチャート内で、全てのカラーパッチが印刷されるように該カラーパッチをランダム配置するチャート分割手段を含むことを特徴とする。
【００１５】
ＩＴ８に準拠したカラーチャートでは、一枚のカラーチャートに必要とする全てのカラーパッチが収められることを前提としている。また、分光光度計でカラーパッチを測定するために、各カラーパッチは、所定の面積が必要である。しかし、デバイスプロファイルの作成対象となる印刷機によっては、印刷できる紙面の大きさの制限から、１枚のカラーチャート内に必要とする全てのカラーパッチを収めることができない場合がある。この場合、上記の処理により、印刷機の印刷紙面の大きさに応じた枚数のカラーチャート内で、全てのカラーパッチが印刷されるようにカラーパッチのランダム配置が行われる。よって、印刷機の印刷紙面の大きさに制限されることなくデバイスプロファイルの作成ができるようになる。
【００１６】
また、上記のカラーチャート作成装置において、配列されたカラーパッチ群の周辺の少なくとも一部に、前記デバイスプロファイルを作成する際に利用しなくてもよいカラーパッチであるダミーパッチを、カラーチャートデータに対し付加するダミーパッチ付加手段をさらに備えたことを特徴とする。
【００１７】
測定を必要とするカラーパッチ群の周辺部は、通常、印刷されるデザインがない、もしくは、ある程度の距離をおいてで他のデザインが配置される。そのため、カラーパッチ群の周辺部において、インキの供給量が不足がちとなり、色ずれの原因となることがある。そこで、上記の処理により、測定対象となるカラーパッチ群の周囲部にダミーパッチを設けることに、カラーパッチ群の周辺部の各カラーパッチにも必要量のインキが供給されやすくなり、カラーパッチの色ずれを少なくすることができる。結果として、精度のよいデバイスプロファイルを作成するためのカラーチャートデータとすることができる。
【００１８】
また、上記のカラーチャート作成装置において、ダミーパッチ付加手段は、対象とする印刷機でカラーチャートを印刷する際の印刷方向と同方向の前記カラーパッチ群の一列であって、前記カラーパッチ群の最端部のカラーパッチ列と同じパッチ列を該最端部のカラーパッチ列の外側に並列に配置することにより、配列されたカラーパッチ群の周辺に前記ダミーパッチを付加することを特徴とする。
【００１９】
これにより、印刷機の印刷方向と同方向のカラーパッチ列で、カラーパッチ群の最端部に位置するカラーパッチ列と同色のダミーパッチ列が付加される。その結果、カラーパッチ列に対し必要量のインキが効率よく供給できるようになり、印刷機の印刷方向と同方向のカラーパッチ列で、カラーパッチ群の最端部に位置するカラーパッチ列の印刷時の色ずれを防止することができるようになる。結果として、精度のよいデバイスプロファイルを作成するためのカラーチャートデータとすることができる。
【００２０】
また、上記のカラーチャート作成装置において、ダミーパッチ付加手段は、対象とする印刷機でカラーチャートを印刷する際の印刷方向と直交する方向であって、前記カラーパッチ群の最端部に、概無彩色のカラーパッチ列を配置することにより、配列されたカラーパッチ群の周辺に前記ダミーパッチを付加することを特徴とする。
【００２１】
これにより、印刷機の印刷方向に対して直交する方向のカラーパッチ列で、カラーパッチ群の最端部に位置するカラーパッチ列の周辺にほぼ無彩色のダミーパッチ列が付加される。その結果、測定対象となるカラーパッチ列の印刷開始時および印刷終了時にも、各色のインキがほぼ均等に供給されやすくなり、特に印刷機の印刷方向に対して直交する方向の最端部に位置するカラーパッチ列の印刷時における色ずれを防止することができるようになる。結果として、精度のよいデバイスプロファイルを作成するためのカラーチャートデータとすることができる。
【００２２】
また、上記のカラーチャート作成装置において、カラーパッチが配置されない背景部分に概無彩色の印刷がなされるように背景色データを、前記カラーチャートデータに対し付加する背景色付加手段をさらに備えたことを特徴とする。
【００２３】
カラーパッチ群、ないしは、カラーパッチ群の周辺に付与されるダミーパッチを含めたパッチ群の背景が、無色である場合、特にパッチ群の周辺でのインキの供給が不十分になり印刷時の色ずれを生じる恐れがある。しかし、この処理により、ほぼ無彩色の背景色を付加することにより、パッチ群の周辺で各色とも所定量のインキの供給が安定して行われるようになり、パッチの色ずれを防止することができるようになる。結果として、精度のよいデバイスプロファイルを作成するためのカラーチャートデータとすることができる。
【００２４】
また、本発明は、異なる入出力装置の色表現を一致させるために印刷機の色特性を記述したデバイスプロファイルを作成する際に必要となるカラーパッチデータであって、色材の組み合せを示す複数のカラーパッチデータをコンピュータの記憶手段に予め記憶させ、カラーパッチの配置順がランダムとなるように配置順の演算処理を行い、決定した配置順に従って前記記憶手段よりカラーパッチデータを読み出し配置することによりカラーパッチのランダム配置処理を行い、印刷機用のカラーチャートデータを作成するカラーチャート作成方法である。
【００２５】
また、上記カラーチャート作成方法は、上記カラーチャート作成装置に記載されるその他の機能をコンピュータに行わせる方法も含む。
【００２６】
また、本発明は、コンピュータに印刷機用のカラーチャートデータの作成を行わせるプログラムであって、前記コンピュータが、異なる入出力装置の色表現を一致させるために印刷機の色特性を記述するデバイスプロファイルを作成する際に必要となるカラーパッチデータであって、色材の組み合せを示す複数のカラーパッチデータを記憶する状態において、カラーパッチの配置順がランダムとなるように配置順を決定し、決定した配置順に従って記憶手段よりカラーパッチデータを読み出し配置することによりカラーパッチのランダム配置を行い、印刷機用のカラーチャートデータを作成するパッチ位置決定機能
をコンピュータに実行させるプログラムである。
【００２７】
また、上記プログラムは、上記カラーチャート作成装置に記載されるその他の機能をコンピュータに実行させるための機能もコンピュータに実行させる。
【発明の効果】
【００２８】
本発明のカラーチャート作成装置、カラーチャート作成方法、および、その方法では、ランダムに配列されたカラーパッチを含むカラーチャートが印刷可能な印刷機用のカラーチャートデータが作成される。これにより、印刷機におけるインキの供給量を均一にすることが困難な状況下であっても、同一系列の色彩のカラーパッチが一列に並ぶことなくチャート内にランダムに配置され、同一系列の色彩のカラーパッチ印刷全てに不具合が生じることがなくなる。すなわち、同一系列の色彩のカラーパッチに対するインキ供給量の過不足に基づく、印刷精度の低下を軽減でき、結果としてより精度の高いデバイスプロファイルを作成することが可能となる。
【発明を実施するための最良の形態】
【００２９】
以下、本発明の一実施形態による印刷用のカラーチャートデータを作成するカラーチャート作成装置について、図面を参照して説明する。なお、以下の実施の形態は、特許請求の範囲に記載された発明を限定するものではなく、また実施の形態の中で説明されている特徴の組み合せのすべてが発明の解決手段に必要であるとは限らない。
【００３０】
図１は、本発明のカラーチャート作成装置を利用してデバイスプロファイルを作成するための全体的な装置構成を示した図である。図１では、デバイスプロファイルを作成するために必要となる装置（コンピュータ）として、カラーチャート作成装置１０、印刷制御装置３０、ＩＣＣプロファイル作成装置５０が含まれる。
【００３１】
カラーチャート作成装置１０は、カラーパッチデータ１１を記憶装置に予め蓄積し、このカラーパッチデータ１１を利用して印刷機でカラーチャートを印刷する際に必要となる印刷用カラーチャートデータ１２を作成する。なお、カラーパッチデータ１１とは、デバイスプロファイルを作成する際に必要となるデータであって、色材の組み合せを示す複数のカラーパッチに関するデータである。印刷機における色材とは、一般的に、イエロー、マゼンダ、シアン、ブラックの４色のインキを示す。デバイスプロファイルとは、異なる入出力装置、例えば、表示装置、スキャナ、印刷機等の色表現を一致させるためにその機器の色特性を記述したファイルを意味し、本実施の形態では、特に印刷機用のデバイスプロファイルを意味する。
【００３２】
デバイスプロファイルは、その機器固有のデバイス色空間（Ｄｅｖｉｃｅ  Ｄｅｐｅｎｄｅｎｔ  Ｃｏｌｏｒ）から入出力装置に依存しない標準色空間（デバイス独立空間：Ｄｅｖｉｃｅ  Ｉｎｄｅｐｅｎｄｅｎｔ  Ｃｏｌｏｒ）へ変換するための情報、標準色空間からその機器固有のデバイス色空間へ変換するための情報のうち少なくとも一方を含む。デバイスプロファイルとして、本実施の形態では、デバイスプロファイルフォーマットの標準化を目的とて結成された国際機関（ＩＣＣ）の規約に従って記述されたＩＣＣプロファイルを例にする。ＩＣＣプロファイルにおいて、印刷機のデバイス色空間は一般的にＹＭＣＫによる表色系での定義が行われ、標準色空間はＣＩＥ（国際照明委員会）の提唱するＣＩＥ ＬＡＢ（ＣＩＥ１９７６Ｌ*ａ*ｂ*）による表色系での定義が行われる。
【００３３】
また、カラーチャート作成装置１０は、対象とする印刷機のＩＣＣプロファイル１３がある場合、ＩＣＣプロファイルの精度をより高めるために、これを利用して印刷用カラーチャートデータ１２を作成する処理も行う。
【００３４】
印刷制御装置３０は、カラーチャート作成装置１０で作成された印刷用カラーチャートデータ１２を用いて、ＩＣＣプロファイルの作成対象となる印刷機３２にカラーチャート３３を印刷させる。
【００３５】
ＩＣＣプロファイル作成装置５０は、印刷された各カラーパッチのＣＩＥ  ＬＡＢ値を測定するための分光光度計５３を備える。ＩＣＣプロファイル作成装置５０は、その機能として、パッチ測定部と、ＩＣＣプロファイル作成部とを備える。パッチ測定部は、分光光度計５３を制御することにより、印刷機３２で印刷されたカラーチャート３３内で測定対象となる各カラーパッチのＣＩＥ  ＬＡＢ値を測定し、測定データ５１として蓄積する。また、測定データ５１として、印刷用カラーチャートデータ１２等を利用してカラーチャート上での各カラーパッチのデバイス色空間における表色値が蓄積されている。ＩＣＣプロファイル作成部は、この各カラーパッチのデバイス色空間における表色値、および、分光光度計５３にて測定されたＣＩＥ  ＬＡＢ値とを対応付け、対象とする印刷機３２のＩＣＣプロファイルを作成する。なお、ＩＣＣプロファイル作成部は、ＧｒｅｔａｇＭａｃｂｅｔｈ社のプロファイルメーカー等の市販ソフトウェアを利用することで実現できる。
【００３６】
次に、図１に示す装置構成によるＩＣＣプロファイル作成の処理フローについて図２を用いて説明する。
【００３７】
まず、カラーチャート作成装置１０により、カラーパッチデータ１１を利用してカラーチャート内に含めるカラーパッチの配置を決定し、印刷機で印刷する際の印刷用データとなる印刷用カラーチャートデータ１２の作成が行われる（ステップＳ１１）。
【００３８】
次に、印刷制御装置３０により、カラーチャート作成装置１０で作成された印刷用カラーチャートデータ１２を用いて、ＩＣＣプロファイルの作成対象となる印刷機３２でカラーチャート３３の印刷を行う（ステップＳ１２）。
【００３９】
続いて、ＩＣＣプロファイル作成装置５０のパッチ測定部により、印刷機３２で印刷されたカラーチャート３３内の測定対象となるカラーパッチの色に関する測定が分光光度計５３を用いて行われ、測定値を利用して各パッチの標準色空間における表色値が測定データ５１として蓄積される（ステップＳ１２）。なお、後で説明するダミーパッチについては、測定対象とするカラーパッチの印刷時の色ずれを少なくするために付加されたものであることから、測定対象としなくてよい。
【００４０】
次に、ＩＣＣプロファイル作成装置５０のＩＣＣプロファイル作成部により、測定データ５１を利用したＩＣＣプロファイルの作成が行われる（ステップＳ１３）。なお、前述の通り、ＩＣＣプロファイル５２を作成するための測定データ５１内には、予め、測定対象となるカラーチャート上の各カラーパッチのデバイス空間での表色値も蓄積されている。ＩＣＣプロファイル作成部は、各カラーパッチについて、標準色空間における表色値とデバイス色空間における表色値との関連付けより、ＩＣＣプロファイルの作成を行う。
【００４１】
続いて、作成したＩＣＣプロファイル５２を用いて、ＩＣＣプロファイルの精度を高めるための処理を行う場合（ステップＳ１４：Ｙｅｓ）、カラーチャート作成装置１０により、作成したＩＣＣプロファイルを一次ＩＣＣプロファイル１３として利用した新たな印刷用カラーチャートデータの作成が行われる（ステップＳ１０）。一方、ＩＣＣプロファイルの精度を高めるための処理を行わない場合、あるいは、ＩＣＣプロファイルの精度が十分に高まり再度ＩＣＣプロファイルの精度を高めるための処理をする必要のない場合（ステップＳ１４：Ｎｏ）、対象とする印刷機用のＩＣＣプロファイルが完成する。なお、ステップＳ１４に示すＩＣＣプロファイルの精度向上のために、再度、ステップ１０に戻るループ処理は、少なくとも１回は行うことが好ましい。また、２回目以降のループ処理は、一般的に１回目のループ処理に比べＩＣＣプロファイルの変換精度を高める効果が低くなることから、必要とするＩＣＣプロファイルの変換精度等に応じて２回目以降のループ処理を行う。
【００４２】
以上が、図１に示す機器構成において、ＩＣＣプロファイルが作成されるまでの処理フローである。なお、ステップ１０に示すカラーチャートの作成は別途詳細に説明する。
【００４３】
次に、カラーチャート作成装置１０の機能について説明する。図３は、カラーチャート作成装置１０の機能ブロックを示した図である。この図において、図１に示すカラーチャート作成装置１０と同一の部分には同一の符号を付している。図３より、カラーチャート作成装置１０は、無彩色パッチ付加部２１と、パッチ位置決定部２２と、ダミーパッチ付加部２４と、背景色付加部２５とを備える。また、パッチ位置決定部２２は、チャート分割部２３をその機能として含む。
【００４４】
無彩色パッチ付加部２１は、印刷機３２のＩＣＣプロファイルが既にある場合、このＩＣＣプロファイルを一次ＩＣＣプロファイル１３として利用して、標準色空間において無彩色がほぼ均等に配列されるように、デバイス空間で表現される複数の無彩色カラーパッチを求め、この求めたカラーパッチを追加のパッチデータとしてカラーパッチデータ１１に付加する。
【００４５】
パッチ位置決定部２２は、予め定められたカラーパッチの配置順に対し、この配列順がランダムとなるように配置順を決定する。そして、パッチ位置決定部２２は、決定した配置順に従って記憶装置よりカラーパッチデータ１１を読み出して配置することによりカラーチャート上でのカラーパッチのランダム配置を行い、カラーチャートデータ１２を作成する。また、パッチ位置決定部は、無彩色パッチ付加部２１により無彩色となるカラーパッチに関するデータが付加されている場合、この無彩色となるカラーパッチも含めて、カラーパッチのランダム配置を行いって、印刷機用のカラーチャートデータ１２を作成する。
【００４６】
パッチ位置決定部２２に含まれるチャート分割部２３は、印刷機３２でカラーチャートを印刷する際に、必要となる複数のカラーパッチが１枚のカラーチャートで印刷できない場合、印刷機３２の印刷紙面の大きさに応じて、複数枚のカラーチャート内で必要とする全てのカラーパッチが印刷されるように、カラーパッチをランダム配置する処理を行う。
【００４７】
ダミーパッチ付加部２４は、配列されたカラーパッチ群の周辺の一部もしくは全てに、ＩＣＣプロファイルを作成する際に分光光度計での測定の必要性のないカラーパッチであるダミーパッチを、カラーチャートデータ１２に対し付加する処理を行う。
【００４８】
背景色付加部２５は、カラーパッチが配置されない背景部分において、おおよそ無彩色の印刷がなされるように背景色データをカラーチャートデータ１２に対し付加する処理を行う。
【００４９】
図１でも示すように、カラーチャート作成装置１０は、カラーパッチデータ１０、印刷用カラーチャートデータ１２、一次ＩＣＣプロファイル１３を記憶または作成する。ここで、カラーパッチデータ１０は、カラーパッチを特定する番号と、そのカラーパッチのデバイス空間における表色値を関連付けるデータを含む。印刷用カラーチャートデータ１２は、印刷機で印刷できるファイル形式であって、カラーチャート内での各カラーパッチの位置情報とそのカラーパッチのデバイス空間における表色値に関する情報を含むデータである。一次ＩＣＣプロファイル１３は、ＩＣＣプロファイル５２の精度を高めるために、既に存在する印刷機３２用のＩＣＣプロファイル、または、図１に示す装置構成により作成されたＩＣＣプロファイル５２である。
【００５０】
次に、カラーチャート作成装置１０の動作について説明する。図４は、カラーチャート作成装置の動作フローを示した図である。
【００５１】
まず、カラーチャート作成装置１０により、印刷機３２のＩＣＣプロファイルが既にあり、かつ、このＩＣＣプロファイルを一次ＩＣＣプロファイル１３として利用して、ＩＣＣプロファイルの精度向上のための処理を行うか判断される（ステップＳ２０）。
【００５２】
ＩＣＣプロファイルの精度向上のための処理を行う場合（ステップＳ２０：Ｙｅｓ）、ステップＳ２１に進み、そうでない場合（ステップＳ２０：Ｎｏ）には、ステップＳ２１をスキップして、ステップＳ２２に進む。図４に示す処理の流れにおいて、まずは、印刷機３２のＩＣＣプロファイルがないものとし、ステップＳ２２に進む場合について説明する。
【００５３】
ＩＣＣプロファイルの精度向上のための処理を行わない場合（ステップＳ２０：Ｎｏ）、パッチ位置決定部２２により、初期のカラーパッチの配置順に対し、この配列順がランダムとなるように配置順の決定がなされる。次に、記憶装置より決定された配置順に従ってカラーパッチデータ１１が読み出され、デジタルデータとして表現されている印刷紙面シート上に順次配置することによりカラーパッチのランダム配置を行い、印刷機用の印刷データとなるカラーチャートデータ１２を作成する（ステップＳ２２）。
【００５４】
ステップＳ２２に示すカラーパッチのランダムに配置するパッチ位置決定部２２の処理の詳細について、図５を用いて説明する。初期のカラーパッチの配置状態として、図６の符号４１に示すように、カラーパッチはパッチ番号０００から９２３の９２４個が存在すし、パッチ位置とそれに対応するパッチ番号が一致しているものとする。なお、カラーパッチデータ１１においては、各パッチ番号に対して、色材の組み合せが表色値として関連付けられており、初期のカラーパッチデータの順番は、例えば、ＩＴ８で規定されるカラーパッチの配置順とする。
【００５５】
図５において、ランダム配置処理の処理回数を示す変数ｉが初期化される（ステップＳ３１）。続いて、乱数発生関数等を利用して、２つの乱数ＲＮＤ１およびＲＮＤ２が生成される（ステップＳ３２、Ｓ３３）。なお、ここでは、乱数は０以上で１未満の範囲の実数として生成される。
【００５６】
次に、カラーパッチの位置の入れ替え場所が決定され、パッチ番号を利用したカラーパッチの位置の入れ替えが行なわれる（ステップＳ３４）。例えば、カラーパッチ数を“ｍ”とした場合、カラーパッチの位置の入れ替えを行うパッチ位置Ａ，Ｂを下記の通り求める。
【００５７】
Ａ＝ＩＮＴ（ｍ×ＲＮＤ１）
Ｂ＝ＩＮＴ（ｍ×ＲＮＤ２）
【００５８】
ここで、関数ＩＮＴ（）は、実数を整数にする関数であり、この関数によりパッチ位置Ａ，Ｂは、０から９２３の範囲の整数となる。例えば、１回目のカラーパッチの位置の入れ替え処理により、パッチ位置Ａが“３００”、パッチ位置Ｂが“６４０”と決定されたとする。この場合、図６の符号４１に示す初期状態のカラーパッチの位置３００および６４０にあるパッチ番号３００、パッチ番号６４０の位置の入れ替えが行われ、入れ替えの結果、図６の符号４２に示す状態となる。
【００５９】
上記のステップＳ３２からＳ３４が、予め決められたパッチ位置の入れ替え回数“ｎ”まで繰り返えされる（ステップＳ３５、Ｓ３６）。図６の符号４３は、ｎ回のパッチ位置の入れ替えを行った後におけるパッチ番号の配列順の一例を示している。入れ替え回数“ｎ”を十分大きな値とすることで、図５に示す処理により、カラーパッチのランダムな配置順が決定される。パッチ位置決定部２２は、全てのカラーパッチを一枚のチャートに収める場合、上記の処理により決定された配置順に従ってカラーパッチデータ１１を読み出し、デジタルデータ上でカラーパッチを予め定められた配置位置に順次配置していくことで、印刷機３用のカラーチャートデータ１２を作成する。図７は、パッチ位置決定部２２により作成されたカラーチャートデータに基づき印刷されたカラーチャートのイメージ例を示す図である。図６の符号４３に示されるランダム配置順が利用される場合、例えば、図７の配置位置Ｎｏ．０にはパッチ番号６０１で示されるカラーパッチが配置され、順次カラーパッチが配置され、最後の配置位置Ｎｏ．（ｍ−１）にはパッチ番号１９２で示されるカラーパッチが配置される。図７および後述する図１１において、符号４５は、各カラーチャート上において分光光度計５３での測定を必要とするカラーパッチのまとまりである“カラーパッチ群”を示している。なお、図７において紙面の都合から異なるカラーパッチであっても同一のハッチパターンを付したものがある。
【００６０】
カラーチャート上にカラーパッチを印刷する際、印刷後に各カラーパッチを分光光度計５３で測定する必要があることから、各カラーパッチは所定の大きさでの印刷が必要となる。一方、ＩＣＣプロファイルの作成対象となる印刷機によっては、測定対象となる全てのカラーパッチを１枚の紙面上に印刷できない場合がある。この場合、測定が必要なカラーパッチを複数枚のカラーチャートに分ける必要がある。そこで、図４において、カラーチャート作成装置１０において、印刷機３２でカラーチャートの印刷をする際に、必要となる複数のカラーパッチが１枚のカラーチャートに印刷できる印刷機３２であるかの確認が行われる（ステップＳ２３）。なお、この判断は、例えば、対象とする印刷機３２のスペックをチェックすることにより行なわれる。
【００６１】
カラーパッチを複数のカラーチャートに分けて印刷する必要がある場合（ステップＳ２３：Ｙｅｓ）、パッチ位置決定部２２に含まれるチャート分割部２３は、印刷機３２の印刷紙面の大きさに応じて、複数枚のカラーチャート内で全てのカラーパッチが印刷されるように、カラーパッチをランダム配置する処理を行う（ステップＳ２４）。図８は、チャート分割部２２により作成された複数のカラーチャートデータに基づき印刷された複数のカラーチャート・イメージの一例である。図８では、３枚のカラーチャートに分割された例を示している。図６の符号４３に示されるランダム配置順が利用される場合、例えば、図８の１枚目のカラーチャートの配置位置Ｎｏ．０にはパッチ番号６０１で示されるカラーパッチが配置され、順次カラーパッチが配置され、１枚目のカラーチャートにおける最後の配置位置Ｎｏ．ａにはパッチ番号３５２に示されるカラーパッチが配置される。２枚目のカラーチャートにおいても同様にカラーパッチが配置され、３枚目のカラーチャートの配置位置Ｎｏ．（ｂ＋１）にはパッチ番号７３８で示されるカラーパッチが配置され、順次カラーパッチが配置され、３枚目のカラーチャートにおける最後の配置位置Ｎｏ．（ｍ−１）にはパッチ番号１９２に示されるカラーパッチが配置される。なお、図７に示す場合と同様に、図８の符号４６に示す、各カラーチャート上において分光光度計５３での測定を必要とするカラーパッチのまとまりについても“カラーパッチ群”と呼ぶ。
【００６２】
図４において、カラーパッチを複数のカラーチャートに分けて印刷する必要がない場合（ステップＳ２３：Ｎｏ）、もしくは、ステップＳ２４により複数の分割されたカラーチャートに分割された後、ダミーパッチ付加部２４により、配列されたカラーパッチ群の周辺の一部もしくは全てに、ＩＣＣプロファイルを作成する際に測定対象とする必要のないカラーパッチであるダミーパッチを、カラーチャートデータ１２に対し付加する処理を行う。ダミーパッチ付加部２４によるカラーパッチ群へのダミーパッチの付加の例について、図面を用いて説明する。
【００６３】
図９は、カラーパッチ群７１に対し、印刷方向と同方向にダミーパッチ列６１、６２を付加した際におけるカラーチャートの印刷イメージ例を示した図である。図９および他の図において、カラーパッチ群７１は、図７に示すように１枚のカラーチャートに必要とする全てのカラーパッチが含まれる際のカラーパッチ群４５、または、図８に示すように複数枚のカラーチャートにより必要とする全てのカラーパッチが含まれる際のカラーパッチ群４６の、いずれかの場合を示しているものとする。図９の例では、ダミーパッチ付加部２４が、対象とする印刷機３２の印刷方向と同方向のカラーパッチ群７１内の一列であって、カラーパッチ群７１の最も外側のカラーパッチ列６５、６８と同じカラーパッチを含むダミーパッチ列６１，６２をそれぞれのカラーパッチ列６５，６８の外側近傍に並列配置することにより、ダミーパッチを付加する処理を行う場合を示している。この処理により、印刷方向と同方向のカラーパッチ列を見ると、外側のダミーパッチ列６１とカラーパッチ列６５が同じパターンのパッチ列となり、他方の外側のダミーパッチ列６２とカラーパッチ列６８とが同じパターンのパッチ列となる。
【００６４】
図１０は、カラーパッチ群７２に対し、印刷方向と直交する方向にダミーパッチ列６３、６４を付加した際におけるカラーチャートの印刷イメージ例を示した図である。図１０の例では、ダミーパッチ付加部２４が、対象とする印刷機３２の印刷方向と直交する方向であって、カラーパッチ群７１の最端部近傍に、おおよそ無彩色のダミーパッチ列６３、６４を配置することにより、ダミーパッチを付加する処理を行う場合を示している。ここで、ダミーパッチ列６３および６４に含まれるカラーパッチの色は同色で、例えば、カラーパッチ群７１に含まれるカラーパッチにおける各色の平均値（平均網％）に対し、それぞれ１／２の値（網％）を持つパッチとする。これにより、ダミーパッチ列６３および６４に含まれるパッチをほぼ無彩色となる。
【００６５】
図１１は、図９および図１０に示す処理の双方を行った場合におけるカラーチャートの印刷イメージ例を示した図である。図１１において、図９および図１０の同一の部分には同一の符号を付している。なお、図１１においては、図１０に対し、カラーパッチ群のみではなく、付加されたダミーパッチ列６１、６２に対してもそれらをも覆うように、ほぼ無彩色となるパッチからなるダミーパッチ列６３、６４が付加されている点で相違する。
【００６６】
なお、ダミーパッチ付加部２４によるカラーパッチ群７１に対するダミーパッチの付加の方法は、上記に限定されるものではない。例えば、図１２に示すように、カラーパッチ群７１の最も外側のカラーパッチ列６５と同じカラーパッチを含むダミーパッチ列を符号６６、６７に示すように２列以上設け、同様に他方の最も外側のカラーパッチ列６８と同じカラーパッチを含むダミーパッチ列を符号６９，９７に示すように２列以上設けてもよい。また、図１３に示すようにカラーパッチ群７１の周囲を取り囲むように、図１０で説明したほぼ無彩色となるダミーパッチを付加しても良い。さらには、カラーパッチ群７１の周囲を取り囲むように、いずれかのカラーパッチを付加することによりダミーパッチを付加してもよい。
【００６７】
以上のようにダミーパッチが付加された後、図４において、背景色付加部２５により、印刷されるカラーチャートにおいて、測定対象となるカラーパッチおよび付加されたダミーパッチが配置されない背景部分に対し、おおよそ無彩色の背景色の印刷がなされるように、背景色データがカラーチャートデータ１２に対し付加される（ステップＳ２６）。例えば、図１４に示すように、カラーパッチ群７１およびダミーパッチ群７３に含まれるパッチ以外の部分７４がほぼ無彩色となるように背景色が付加される。なお、カラーパッチ間もこの処理により背景色が加えられる。加える背景色の一例としては、カラーパッチ群７１に含まれるカラーパッチにおける各色の平均値（平均網％）に対し、それぞれ１／１０の値（網％）とする。背景色は、印刷されるチャート全体とする必要はなく、少なくとも配列されたカラーパッチおよびダミーパッチを所定の幅をもって取り囲むように背景色を加えるのみでもよい。
【００６８】
図４のステップ２１の処理を行わなくとも、ステップＳ２２からステップ２６を行うことで、カラーチャートデータ１２が作成できる。このカラーチャートデータ１２を用いて、図１に示す装置構成により、図２に示すステップＳ１１からＳ１３に示す処理を行うことで、印刷機３２用のＩＣＣプロファイル５２が作成できる。図２において、このようにして作成したＩＣＣプロファイル５２を用いて、ＩＣＣプロファイルの精度を高める処理を行う場合（ステップＳ１４：Ｙｅｓ）、最初に作成されたＩＣＣプロファイル５２を用いた精度向上のための処理が、カラーチャート作成装置１０によって行われる（図４のステップＳ２１）。
【００６９】
図４において、最初に作成されたＩＣＣプロファイル５２を一次ＩＣＣプロファイル１３として利用した精度向上のための処理を行う場合（ステップＳ２０：Ｙｅｓ）、無彩色パッチ付加部２１により、一次ＩＣＣプロファイル１３を用い、標準色空間において、無彩色がほぼ均等に配列されるように、対象とする印刷機のデバイス空間における複数の無彩色カラーパッチを求める。そして、この求めたカラーパッチは追加のカラーパッチデータとしてパッチデータ１０に蓄積される（ステップＳ２１）。以下では、この処理をより詳細に説明する。
【００７０】
図１５は、標準色空間における色差と色相の関係を説明するための図である。ここでは、標準色空間として、ＣＩＥ ＬＡＢ（ＣＩＥ１９７６Ｌ*ａ*ｂ*）表色系を例にしている。この表色系において、“L*”軸は明度の変化を示し、“ａ*”軸＋方向は赤を、“ａ*”軸−方向は緑を、“ｂ*”軸＋方向は黄色を、“ｂ*”軸−方向は青を示し、図に示すａ−ｂ平面図上の原点位置にあるL*軸から離れるほどその彩度が増す事を表す。また、この表色系におけるL*軸方向から見た正射影平面上での２つの点の原点に対してなす角度は、色相の変化の度合い（色相の差）を示す。
【００７１】
図１５において、例えば、彩度の高いカラーパッチＡが精度よく印刷・測定されたならば、Ｌ*ａ*ｂ*表色系上の符号８１に示すポイントに位置するが、印刷時の誤差等により、符号８２に示すポイントに位置することになったとする。このときの符号８１、８２に示すポイントの原点に対してなす角度をθ１とする。一方、彩度の低いほぼ無彩色のカラーパッチＢが精度よく印刷・測定されたならば、Ｌ*ａ*ｂ*表色系上の符号８３に示すポイントに位置するが、印刷時の誤差等により、符号８４に示すポイントに位置することになったとする。このときの符号８３、８４に示すポイントの原点に対してなす角度をθ２とする。なお、ここで、ポイント８１と８２の距離と、ポイント８３と８４の距離は等しいものとする。図１５に示すように、彩度が大きいカラーパッチＡの場合、誤差があってもその色相の差θ１は、相対的に小さい。一方、ほぼ無彩色のカラーパッチＢの場合、誤差があるとその色相の差θ２は、相対的に大きくなり、異なる色として知覚される恐れがある。また、人間の視覚特性より、人間は無彩色の輝度に対する変化を敏感に識別できる。そのため、標準色空間において、ほぼ無彩色となる色に関する測定値を多く持つことが、標準色空間とデバイス色空間での色の変換精度を高めるために重要となる。
【００７２】
そこで、無彩色パッチ付加部２１は、標準色空間において無彩色、すなわち、Ｌ*軸上に、等間隔でポイントを定める。例えば、Ｌ*ａ*ｂ*表色系において、ａ*＝０、ｂ*＝０で、Ｌ*が１０から１００の範囲に同一間隔で１０ポイントを定める。次に、無彩色パッチ付加部２１は、一次ＩＣＣプロファイル１３を用いて、定めた標準色空間のポイント（例えば１０ポイント）から、印刷機３２のデバイス色空間におけるポイント（例えば１０ポイント）に変換する。そして、無彩色パッチ付加部２１は、変換したデバイス色空間におけるポイントのカラーパッチ（例えば１０個のカラーパッチ）を、測定対象とするカラーパッチとしてカラーパッチデータ１２に付加する。以上が、無彩色パッチ付加部２１の処理である。
【００７３】
なお、パッチ位置決定部２２は、無彩色パッチ付加部２１により、測定対象とする無彩色のカラーパッチがカラーパッチデータ１１に付加されている場合、このカラーパッチも含めて、カラーパッチのランダム配置を行い、印刷機３２で印刷するためのカラーチャートデータ１２を作成する（ステップＳ２２）。
【００７４】
以上が、カラーチャート作成装置１０の動作である。
【００７５】
なお、図３における各処理部の機能を実現するためのプログラムをコンピュータ読み取り可能な記録媒体に記録して、この記録媒体に記録されたプログラムをコンピュータシステムに読み込ませ、実行することにより、印刷機用のカラーチャートデータの作成処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合せで実現できるもの、いわゆる差分ファイル（差分プログラム）であっても良い。
【００７７】
以上、この発明の実施形態について、図面を参照して詳述してきたが、具体的な構成はこの実施形態に限られるものではなく、この発明の要旨を逸脱しない範囲の設計等も含まれる。
【００７８】
例えば、本実施の形態では、印刷機を対象としたカラーチャートデータの作成を例にしているが、これに限定されるものではなく他の入出力装置にも適用できる。特に、入出力の際に、特定の位置にライン状の誤差が生じやすい入出力装置に対して適用する際に良好である。
【００７９】
また、本実施の形態では、インキを用いた印刷機を中心に説明したがこれに限定されるものでない。例えば、インキのほか、染料、顔料、トナー等々を利用した印刷機であってもよく、特に、それらを用いた際に、ライン状の印刷誤差が生じやすい場合に適用する際に良好である。
【００８０】
また、本実施の形態では、デバイスプロファイルとしてＩＣＣプロファイルを例に説明したが、これに限定されるものではない。デバイスプロファイルは、少なくとも対象とする装置のデバイス色空間と標準色空間との間で、一方向もしくは双方向の色変換ができるものであればよい。また、本実施の形態では、図７から図１４にカラーパッチ群が四角い領域に収まる例を示したがこれに限定されるものではない。なお、カラーパッチ群が四角い領域に収まらない場合には、この周辺にもうけられるダミーパッチ列、ダミーパッチ群は、基本として、カラーパッチ群の領域に沿って設けられる。
【００８１】
また、本実施の形態では、図４に示す各処理部２１〜２５の処理をした例を示している。しかし、全ての処理部による処理が必要でなく、少なくともパッチ位置決定部２２による処理を含んでいればよく、他の処理部２１、２３から２５による処理は適宜行うものであってもよい。
【図面の簡単な説明】
【００８２】
【図１】本発明のカラーチャート作成装置を利用してＩＣＣプロファイルを作成するための全体的な装置構成を示した図である。
【図２】図１に示す装置構成において、ＩＣＣプロファイルが作成されるまでの処理の流れを示した図である。
【図３】本発明のカラーチャート作成装置の機能ブロックを示した図である。
【図４】カラーチャート作成装置の動作フローを示した図である。
【図５】図４のステップＳ２２の詳細な動作フローを示した図である。
【図６】図５に示す処理によりカラーパッチの配列順がランダムとなることを説明するための図である。
【図７】ランダムに配列されたカラーパッチの印刷イメージの一例を示した図である。
【図８】複数のカラーチャート上でカラーパッチがランダムに配列された場合の印刷イメージの一例を示した図である。
【図９】カラーパッチ群に対し、印刷方向と同方向にダミーパッチ列を付加した際におけるカラーチャートの印刷イメージの一例を示した図である。
【図１０】カラーパッチ群に対し、印刷方向と直交する方向にダミーパッチ列を付加した際におけるカラーチャートの印刷イメージの一例を示した図である。
【図１１】カラーパッチ群の周辺にダミーパッチを付加した際におけるカラーチャートの印刷イメージの一例を示した図である。
【図１２】カラーパッチ群の周辺にダミーパッチを付加する際におけるダミーパッチの他の付加例を示した図である。
【図１３】カラーパッチ群の周辺にダミーパッチを付加する際におけるダミーパッチの他の付加例を示した図である。
【図１４】カラーチャート上に、カラーパッチが配列されない部分におおむね無彩色の背景色を付加した際における印刷イメージの一例を示した図である。
【図１５】標準色空間上における色差と色相の関係を説明する図である。
【図１６】印刷機の胴とインキ壺との関係を説明するための図である。
【図１７】従来のカラーチャートを説明するための図である。
【符号の説明】
【００８３】
１０・・・カラーチャート作成装置
１１・・・パッチデータ
１２・・・印刷用カラーチャートデータ
１３・・・一次ＩＣＣプロファイル
２１・・・無彩色パッチ付加部
２２・・・パッチ位置決定部
２３・・・チャート分割部
２４・・・ダミーパッチ付加部
２５・・・背景色付加部
３０・・・印刷制御装置
３２・・・印刷機
５０・・・ＩＣＣプロファイル作成装置
５１・・・測定データ
５２・・・ＩＣＣプロファイル
５３・・・分光光度計
【図１】
2005073054.tif 000003
【図２】
2005073054.tif 000004
【図３】
2005073054.tif 000005
【図４】
2005073054.tif 000006
【図５】
2005073054.tif 000007
【図６】
2005073054.tif 000008
【図７】
2005073054.tif 000009
【図８】
2005073054.tif 000010
【図９】
2005073054.tif 000011
【図１０】
2005073054.tif 000012
【図１１】
2005073054.tif 000013
【図１２】
2005073054.tif 000014
【図１３】
2005073054.tif 000015
【図１４】
2005073054.tif 000016
【図１５】
2005073054.tif 000017
【図１６】
2005073054.tif 000018
【図１７】
2005073054.tif 000019